(57)【特許請求の範囲】
【請求項１】
互いに貫通する第１、第２収納穴と、前記第１収納穴に配置されて複数の第３端子溝が形成される第１舌板と、前記第２収納穴に配置されて対向する表面に形成される複数の第１端子溝及び第２端子溝を含む第２舌板とを有する絶縁性本体と、
前記絶縁性本体の第１舌板の第３端子溝に挿入され、第１収納穴に露出される接触部が設けられる複数の導電端子と、
前記絶縁性本体の第２舌板の第１、第２端子溝に挿入され、第２収納穴に露出される弾力的な接続部が設けられる複数の弾力端子と、
を備え、
前記導電端子は、接地端子及び接地端子の両側に配置される二対の差分信号端子とを含んで、導電端子の接触部が弾力性の無い平板状の構造で設けられることを特徴とするソケットコネクタ。
【請求項２】
前記第１舌板が第２舌板の上に配置され、第２舌板の厚さが第１舌板の厚さより厚く、前記第３端子溝が前記第１舌板の下表面に形成され、第１舌板の下表面が、第２舌板の下表面より第２舌板の上表面に寄ることを特徴とする請求項１に記載のソケットコネクタ。
【請求項３】
前記弾力端子は、第２舌板の上表面に配置されるパワー端子及び負信号端子と、第２舌板の下表面に配置される接地端子及び正信号端子とを含むことを特徴とする請求項１に記載のソケットコネクタ。
【請求項４】
各導電端子は、直角に折り曲げられ、前記接触部が設けられる折曲部と、前記折曲部から下向きに延在する半田接続部とを備え、前記折曲部の幅が、前記半田接続部の幅より大きいことを特徴とする請求項１に記載のソケットコネクタ。
【請求項５】
前記導電端子の中の接地端子の折曲部の幅は、前記差分信号端子の折曲部の幅より、大きいことを特徴とする請求項４に記載のソケットコネクタ。
【請求項６】
前記ソケットコネクタは、前記複数の導電端子を位置決めするための複数の位置決め溝が形成される位置決め部材を有することを特徴とする請求項１に記載のソケットコネクタ。
【請求項７】
前記第２収納穴の高さと幅とがそれぞれ第１収納穴の高さと幅より大きく、前記第２収納穴と第１収納穴との連接部分には誤挿入を防止可能な傾斜状な肩部が設けられることを特徴とする請求項１に記載のソケットコネクタ。
【請求項８】
請求項１に記載されるソケットコネクタと電気接続するプラグコネクタであって、
上表面に形成される複数の第４端子溝と下表面に形成される複数の第５端子溝とを含む隔板と、隔板によって形成される第１、第２嵌合溝と、複数の第５端子溝が形成される底板とを有する絶縁部材と、
第４端子溝に挿入され、第１嵌合溝に露出される接触端が設けられる複数の第１プラグ端子と、
第５端子溝に挿入されて第２嵌合溝に露出される接続端が設けられる複数の第２プラグ端子と、
第２嵌合溝を覆う金属ハウジングと、
を備えることを特徴とするプラグコネクタ。
【請求項９】
請求項１に記載されるソケットコネクタと、
請求項８に記載されるプラグコネクタと、
を備え、前記プラグコネクタがソケットコネクタと電気接続する時、プラグコネクタの第１プラグ端子の接触端がソケットコネクタの導電端子の接触端と電気接続し、プラグコネクタの第２プラグ端子の接続端がソケットコネクタの弾力端子の接続端と電気接続することを特徴とするコネクタ組立体。
【発明の詳細な説明】
【技術分野】
【０００１】
本発明は、電気コネクタに関し、特に、高周波信号を伝送するＵＳＢ（Ｕｎｉｖｅｒｓａｌ  Ｓｅｒｉａｌ  Ｂｕｓ）ソケットコネクタ、プラグコネクタ、及びこれらを備えるコネクタ組立体に関するものである。
【背景技術】
【０００２】
図１２〜図１４に開示された従来のＵＳＢソケットコネクタ３００’は、収納穴３１’が形成される金属ハウジング３４’と、収納穴３１’に突伸する舌板３２’と、接触部３３１’が設けられる複数の導電端子３３’とを備える。舌板３２’の上、下表面には、導電端子３３’が挿入される複数の端子溝が形成される。金属ハウジング３４’には、誤挿入を防止するための一対の傾斜部３５’、３６’が前記収納穴３１’の上に設けられる。
図１５に示す従来のソケットコネクタ３００’と電気接続される相手プラグコネクタ４００’は、収納部４２’が形成される絶縁性本体４１’と、収納部４２’に収納される複数の導電端子４３’と、絶縁性本体４１’を覆う遮蔽部材４４’とを有する。遮蔽部材４４’には傾斜壁４５’、４６’とが設けられる。相手プラグコネクタ４００’がソケットコネクタ３００’に収納される時、プラグコネクタ３００’の導電端子３３’がソケットコネクタ４００’の導電端子４３’と電気接続する。プラグコネクタ４００’の傾斜壁４５’、４６’がソケットコネクタ３００’の傾斜部３５’、３６’と係合する。
信号の伝送を高めるため、多くの導電端子が増加する。これにより、多くの導電端子を収納する端口を配置すればよい。
【発明の概要】
【発明が解決しようとする課題】
【０００３】
多くの導電端子が増加することによって、多くの導電端子を収納する端口を配置しなければならない。
【０００４】
そこで本発明の目的は、信号の伝送を高めるソケットコネクタ、プラグコネクタ、これらを備えるコネクタ組立体を提供することにある。
【課題を解決するための手段】
【０００５】
前記目的を達成するために、本発明のソケットコネクタは、絶縁性本体と、複数の導電端子と、弾力端子とを備える。絶縁性本体は、互いに貫通する第１、第２収納穴と、前記第１収納穴に配置されて複数の第３端子溝が形成される第１舌板と、前記第２収納穴に配置されて対向する表面に形成される複数の第１端子溝及び第２端子溝を含む第２舌板とを有する。複数の導電端子は、前記絶縁性本体の第１舌板の第３端子溝に挿入される。各導電端子には、第１収納穴に露出される接触部が設けられる。前記弾力端子は、前記絶縁性本体の第２舌板の第１、第２端子溝に挿入される。各弾力端子には、第２収納穴に露出される弾力的な接続部が設けられる。
本発明のプラグコネクタは、絶縁部材と、第１、第２プラグ端子と、金属ハウジングとを備える。絶縁部材は、上表面に形成される複数の第４端子溝と下表面に形成される複数の第５端子溝とを含む隔板と、隔板によって形成される第１、第２嵌合溝と、複数の第５端子溝が形成される底板とを有する。第１プラグ端子は、第４端子溝に挿入され、第１嵌合溝に露出される接触端が設けられる。第２プラグ端子は、第５端子溝に挿入されて第２嵌合溝に露出される接続端が設けられる。
【発明の効果】
【０００６】
従来の技術に比べると、本発明は以下の長所がある。本発明のソケットコネクタは、第１収納穴の上に第２収納穴が形成される。第２収納穴において、相手プラグコネクタの高周波信号を伝送可能な第１プラグ端子と電気接続するための導電端子を増加させる。これにより、信号の伝送を高める。
【図面の簡単な説明】
【０００７】
【図１】本発明のソケットコネクタの組立図である。
【図２】図１に示すソケットコネクタの分解斜視図である。
【図３】図２に示すソケットコネクタの別の分解斜視図である。
【図４】ソケットコネクタの前視図である。
【図５】ソケットコネクタの俯瞰図である。
【図６】本発明のソケットコネクタと電気接続するプラグコネクタの斜視図である。
【図７】図６に示すプラグコネクタの分解斜視図である。
【図８】図７の別の分解斜視図である。
【図９】図６に示すプラグコネクタの前視図である。
【図１０】図６に示すプラグコネクタが図１に示すソケットコネクタと電気接続する斜視図である。
【図１１】図１０のＡ-Ａ線で切断した断面図である。
【図１２】従来の２．０標準のソケットコネクタの斜視図である。
【図１３】従来の２．０標準のソケットコネクタの前視図である。
【図１４】従来の２．０標準のソケットコネクタの俯瞰図である。
【図１５】従来のプラグコネクタの斜視図である。
【発明を実施するための形態】
【０００８】
図１〜図４に示すように、本発明の電気コネクタはＵＳＢソケットコネクタ、或いはＵＳＢプラグコネクタであり、或いはこれらを備えるＵＳＢコネクタ組立体である。ソケットコネクタ１００が回路基板（図示せず）に半田接続される。ソケットコネクタ１００は、絶縁性本体１と、絶縁性本体１に挿入される複数の導電端子２と、弾力端子３と、絶縁性本体１に取付される定位部材５と、絶縁性本体１を覆う遮蔽部材４とを備える。
【０００９】
図２及び図３に示すように、絶縁性本体１は、本体部１０と、本体部１０に設けられる上舌板１１、下舌板１２とを備える。上舌板１１の下表面には、複数の第３端子溝１１２が形成される。下舌板１２の上、下表面は、複数の第１端子溝１２３が形成される第１表面１２１と、複数の第２端子溝１２４が形成される第２表面１２２である。上舌板１１の下表面が、下舌板１２の第２表面１２２より下舌板１２の第１表面１２１に寄る。本体部１０の後部には複数のスロット１３１が形成される。
【００１０】
図２に示すように、導電端子２は、高周波数差分信号を伝送するための二対の差分信号端子と、この二対の信号端子の間に配置される接地端子とを備える。各導電端子２は、直角で折り曲がれる折曲部２２と、折曲部２２に設けられる接触部２１と、折曲部２２から下向きに延在する半田接続部２３とを備える。弾力端子３は、第１表面１２１の右側に位置する負信号端子と、第１表面１２１の左側に位置する正信号端子と、第２表面１２２の右側に位置する接地端子と、第２表面１２２の左側に位置する正信号端子とを備える。各弾力端子３は、実質的にＬ字状に形成される折曲部３２と、折曲部３２に設けられる弾力的な接続部３１と、折曲部３２から延在する半田接続足３３とを備える。
【００１１】
図５及び図１４を参照すると、導電端子２の折曲部２２が弾力端子３の外側に配置される。ソケットコネクタ１００の前後の寸法Ｄ１が従来のソケットコネクタ３００’の前後の寸法Ｄ３より大きい。
【００１２】
図４に示すように、本発明のＵＳＢソケットコネクタ１００は、通常用いられる２．０のＢ型のＵＳＢプラグコネクタ４００を収納するための下収納穴１２０と、下収納穴１２０の上に配置され、高周波信号を伝送するための上収納穴１１０とを備える。下収納穴１２０の高さＨ２と、幅Ｗ２とは、それぞれ上収納穴１１０の高さＨ１、幅Ｗ１より大きい。これにより、ソケットコネクタ１００の信号伝送の速度が高まる。ソケットコネクタ１００は従来のコネクタ３００より端口が増加する。これにより、ソケットコネクタ１００の高さＨ１＋Ｈ２は、従来のソケットコネクタ３００の高さよりも高い。
【００１３】
ソケットコネクタ１００は、複数の位置決め溝５１が形成された位置決め部材５を含む。導電端子２の半田接続部２３が位置決め部材５の位置決め溝５１に挿入され、弾力端子３が絶縁性本体１の前記スロット１３１に挿入されて位置決めされる。
【００１４】
図２及び図３を参照すると、遮蔽部材４は、絶縁性本体１を被覆するための前蓋体４１と、絶縁性本体１の後部を覆う後蓋体４２とを備える。前蓋体４１は、天壁４１１と、天壁４１１から延在する一対の側壁４１２と、前壁４１３と、側壁４１２の前端から内へ折り曲げられる複数の弾力片４１４とを備える。側壁４１２の底部には、内へ折曲される複数の係合片４１５が設けられる。前記後蓋体４２は、後壁４２１と、後壁４２１から前向きに延在する延在壁４２２とを有する。
【００１５】
図１〜図５を参照すると、ソケットコネクタ１００を組み合わせる時、複数の導電端子２が上舌板１１の第３端子溝１１２に挿入される。複数の弾力端子３が絶縁性本体１の第１、第２端子溝１２３、１２４に挿入される。位置決め部材５が絶縁性本体１の後に実装される。図１１に示すように、導電端子２の半田接続部２３が位置決め部材５の位置決め溝５１に挿入され、弾力端子３の半田接続足３３が絶縁性本体１のスロット１３１に挿入される。遮蔽部材４は絶縁性本体１を覆う。遮蔽部材４の係合片４１５が位置決め部材５と係合する。後蓋体４２の延在壁４２２が前蓋体４１に形成される係合溝４１６と係合する。
【００１６】
図６〜図９を参照すると、ソケットコネクタ１００と係合するプラグコネクタ６００がＵＳＢプラグコネクタである。プラグコネクタ６００は、絶縁部材６と、絶縁部材６に挿入される複数の第１、第２プラグ端子７，８と、絶縁部材６を覆う金属ハウジング９と、前記プラグ端子７，８と電気接続するケーブル６０とを備える。絶縁部材６は、平板状な隔板６１と、隔板６１と対向する底壁６２と、隔板６１から下向きに延在する側板６３とを有する。隔板６１の上、下表面が第４表面６１２、第３表面６１３である。隔板６１の第４表面６１２には複数の第４端子溝６１４が形成される。隔板６１の第３表面６１３と底板６２の上表面には、複数の第５端子溝６６が形成される。隔板６１の下端の両側には一対の傾斜部６１１が設けられる。
【００１７】
第１プラグ端子７は、高周波差分信号を伝送するための二対の差分信号端子と、この二対の信号端子の間に配置される接地端子とを備える。各第１プラグ端子７は、弾力な接触端７１が設けられる。第２プラグ端子８は、隔板６１の左側に位置する負信号端子と、隔板６１の右側に位置する正信号端子と、底板６２の左側に位置する接地端子と、底板６２の右側に位置する正信号端子とを備える。各第２プラグ端子８には、平板状な接続端８１が設けられる。
【００１８】
金属ハウジング９は、下部９１と、下部９１の上に配置される上部９２とを備える。下部９１は、底片９１１と、底片９１１から上向きに延在する第２側片９１２と、上部９２と連接する傾斜状な連接片９１３とを含む。上部９２は、頂片９２１と、頂片９２１から下向きに延在して前記連接片９１３と連接する第１側片９２２とを有する。
【００１９】
図６〜図９を参照すると、第１プラグ端子７が絶縁部材６の第４端子溝６１４に挿入される。第２プラグ端子８が第５端子溝６６に挿入される。金属ハウジング９が絶縁部材６を覆う。金属ハウジング９の連接片９１３が絶縁部材６の傾斜部６１１に対応する。組み合わされるプラグコネクタ６００には、隔板６１の上側と下側には、それぞれ第１、第２嵌合溝６４，６５が形成される。
【００２０】
図１０〜図１１に示すように、プラグコネクタ６００がソケットコネクタ１００に挿入される時、プラグコネクタ６００の隔板６１がソケットコネクタ１００の上、下舌板１１，１２の間に嵌合される。導電端子２と弾力端子３とは、それぞれ第１プラグ端子７と第２プラグ端子８と電気接続する。ソケットコネクタ１００の弾力片４１４がプラグコネクタ６００を挟む。
【００２１】
プラグコネクタ６００の隔板６１の第４表面６１２と、第３表面６１３には、それぞれ五つの第１プラグ端子７と二つの第２プラグ端子８とが配置される。これにより、プラグコネクタ６００が充分に利用される。従来の２．０標準のＵＳＢプラグコネクタ４００’に比べて、本発明のプラグコネクタ６００は、高周波の信号を伝送するための第１プラグ端子７が増加される。信号伝送の速度が高まる。
【００２２】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２３】
１  絶縁性本体
１０  本体部
１００  ソケットコネクタ
１１  上舌板
１１０  上収納穴
１１１  第３表面
１１２  第３端子溝
１２  下舌板
１２０  下収納穴
１２１  第１表面
１２２  第２表面
１２３  第１端子溝
１２４  第２端子溝
１３、１４  肩部
１３１  スロット
２  導電端子
２１  接触部
２２  折曲部
２３  半田接続部
３  弾力端子
３１  接続部
３２  折曲部
３３  半田接続足
４  遮蔽部材
４１  前蓋体
４１１  天壁
４１２  側壁
４１３  前壁
４１４  弾力片
４１５  係合片
４１６  係合溝
４２  後蓋体
４２１  後壁
４２２  延在壁
５  位置決め部材
５１  位置決め溝
６  絶縁部材
６０  ケーブル
６００  プラグコネクタ
６１  隔板
６１１  傾斜部
６１２  第４表面
６１３  第３表面
６１４  第４端子溝
６２  底板
６３  側板
６４  第１嵌合穴
６５  第２嵌合穴
６６  第５端子溝
７  第１プラグ端子
７１  接触端
８  第２プラグ端子
８１  接続端
９  金属ハウジング
９１  下部
９１１  底片
９１２  第２側片
９１３  連接片
９２  上部
９２１  頂片
９２２  第１側片
３００’  ソケットコネクタ
３１’  収納穴
３２’  舌板
３３’  導電端子
３３１’  接触部
３４’  金属ハウジング
３５’、３６’  傾斜部
４００’  プラグコネクタ
４１’  絶縁性本体
４２’  収納部
４３’  導電端子
４４’  遮蔽部材
４５’、４６’  傾斜壁
【図１】
0005079716.tif 000002
【図２】
0005079716.tif 000003
【図３】
0005079716.tif 000004
【図４】
0005079716.tif 000005
【図５】
0005079716.tif 000006
【図６】
0005079716.tif 000007
【図７】
0005079716.tif 000008
【図８】
0005079716.tif 000009
【図９】
0005079716.tif 000010
【図１０】
0005079716.tif 000011
【図１１】
0005079716.tif 000012
【図１２】
0005079716.tif 000013
【図１３】
0005079716.tif 000014
【図１４】
0005079716.tif 000015
【図１５】
0005079716.tif 000016